(57)【特許請求の範囲】
【請求項１】
公安ネットワークである第１の無線アクセスネットワーク（１３０）においてメッセージ（１１１）をブロードキャストするように適合された公共情報システム（１１０）のための方法であって、前記第１の無線アクセスネットワークは前記公安ネットワークとは別の商用ネットワークである１つまたは複数のさらなる無線アクセスネットワーク（１２０ａ、１２０ｂ）と少なくとも部分的にオーバラップするように構成され、公共情報システムの制御ノード（８１０）で実行される前記方法は、
前記第１の無線アクセスネットワーク（１３０）により修正サポートアナウンスを開始すること（Ｓ１０４）であって、該修正サポートアナウンスは、前記さらなる無線アクセスネットワークに関連付けられたネットワーク識別子を含めることにより前記さらなる無線アクセスネットワーク（１２０ａ、１２０ｂ）に対するサポートをアナウンスするように構成され、それにより、前記さらなる無線アクセスネットワーク（１２０ａ、１２０ｂ）に関連付けられた無線デバイス（１４０）は前記第１の無線アクセスネットワーク（１３０）に接続するように促される、前記開始すること（Ｓ１０４）と、
前記第１の無線アクセスネットワーク（１３０）を介して前記メッセージのブロードキャストを開始すること（Ｓ１０８）であって、それにより、前記無線デバイス（１４０）は前記第１の無線アクセスネットワークを介して前記メッセージを受信し得る、前記開始すること（Ｓ１０８）と、
を含む方法。
【請求項２】
前記公共情報システムは公共警報システム（ＰＷＳ）を含み、前記メッセージは警告メッセージおよび／または警報メッセージを含む
請求項１に記載の方法。
【請求項３】
前記第１の無線アクセスネットワーク（１３０）は、公安（ＰＳ）ロングタームエボリューション（ＬＴＥ）通信システムの一部である
請求項１又は２に記載の方法。
【請求項４】
前記さらなる無線アクセスネットワーク（１２０ａ、１２０ｂ）のうちの１つは、モバイルネットワークオペレータ（ＭＮＯ）と関連付けられた公衆陸上モバイルネットワーク（ＰＬＭＮ）である
請求項１乃至３の何れか１項に記載の方法。
【請求項５】
前記さらなる無線アクセスネットワーク（１２０ａ、１２０ｂ）のうちの１つまたは複数に関連付けられた無線デバイス（１４０）への前記メッセージのブロードキャストを開始するための指示を取得すること（Ｓ１０２）をさらに含む
請求項１乃至４の何れか１項に記載の方法。
【請求項６】
指示を前記取得することは、前記さらなる無線アクセスネットワーク（１２０ａ、１２０ｂ）に対応するネットワーク識別子を取得することを含む
請求項５に記載の方法。
【請求項７】
指示を前記取得することは、ブロードキャストするために前記メッセージを受信することを含む
請求項５又は６に記載の方法。
【請求項８】
指示を前記取得することは、さらなる無線アクセスネットワーク（１２０ａ、１２０ｂ）の予め構成されたリストに関連付けられた１つまたは複数の無線デバイス（１４０）に前記メッセージをブロードキャストするための指示を取得することを含む
請求項５乃至７の何れか１項に記載の方法。
【請求項９】
前記さらなる無線アクセスネットワーク（１２０ａ、１２０ｂ）のうちの１つまたは複数における異常状態の通知を取得すること（Ｓ１０３）をさらに含む
請求項１乃至８の何れか１項に記載の方法。
【請求項１０】
通知を前記取得することは、異常状態に関連付けられた前記さらなる無線アクセスネットワーク（１２０ａ、１２０ｂ）に対応するネットワーク識別子のリストを取得することを含む
請求項９に記載の方法。
【請求項１１】
修正サポートアナウンスを前記開始することは、前記１つまたは複数のさらなる無線アクセスネットワークに対応するネットワークアイデンティティリストを含むように前記第１の無線アクセスネットワークのSystemInformationBlockType1（ＳＩＢ１）の修正を開始することを含む
請求項１乃至１０の何れか１項に記載の方法。
【請求項１２】
ネットワークアイデンティティは、ＰＬＭＮアイデンティティ、ＰＬＭＮ  ＩＤ、またはサービスセット識別子（ＳＳＩＤ）を含む
請求項１乃至１１の何れか１項に記載の方法。
【請求項１３】
修正サポートアナウンスを前記開始することは、ネットワーク共有機能、または無線アクセスネットワーク（ＲＡＮ）共有機能の有効化を開始することを含む
請求項１乃至１２の何れか１項に記載の方法。
【請求項１４】
さらなる無線アクセスネットワークに関連付けられた無線デバイス（１４０）の前記第１の無線アクセスネットワーク（１３０）へのアクセスの選択的封鎖を開始すること（Ｓ１０６）をさらに含む
請求項１乃至１３の何れか１項に記載の方法。
【請求項１５】
前記選択的封鎖は、ＳＩＢ２および／またはＳＩＢ１４を使用してＰＬＭＮ固有のアクセスクラス封鎖を開始することを含む
請求項１４に記載の方法。
【請求項１６】
前記さらなる無線アクセスネットワーク（１２０ａ、１２０ｂ）に関連付けられた無線デバイス（１４０）への前記修正サポートアナウンスに関する情報を含む通知メッセージのブロードキャストを開始すること（Ｓ１０７）をさらに含む
請求項１乃至１５の何れか１項に記載の方法。
【請求項１７】
ブロードキャストを前記開始することは、ＳＩＢ１０、ＳＩＢ１１、およびＳＩＢ１２のうちの何れかを使用して、前記さらなる無線アクセスネットワーク（１２０ａ、１２０ｂ）に関連付けられた無線デバイス（１４０）に公共警報メッセージ（ＰＷＭ）の送信を開始することを含む
請求項１乃至１６の何れか１項に記載の方法。
【請求項１８】
ブロードキャストを前記開始することは、さらなる無線アクセスネットワークが異常状態にあるかまたは異常状態が報告されたときにのみブロードキャストを開始することを含む
請求項１乃至１７の何れか１項に記載の方法。
【請求項１９】
ブロードキャストを前記開始することは、事前構成された時間遅延だけ先行し、該事前構成された時間遅延の間、無線デバイス（１４０）は前記第１の無線アクセスネットワーク（１３０）に接続し得る
請求項１乃至１８の何れか１項に記載の方法。
【請求項２０】
ブロードキャストを前記開始することは、前記第１の無線アクセスネットワークの一部でブロードキャストを選択的に開始することを含み、それにより、前記メッセージは前記第１の無線アクセスネットワークの前記一部でブロードキャストされ前記第１の無線アクセスネットワークの他の部分ではブロードキャストされない
請求項１乃至１９の何れか１項に記載の方法。
【請求項２１】
修正サポートアナウンスを前記開始することは、前記第１の無線アクセスネットワークの一部において修正サポートアナウンスのブロードキャストを選択的に開始することを含み、それにより、前記修正サポートアナウンスは前記第１の無線アクセスネットワークの前記一部でブロードキャストされ前記第１の無線アクセスネットワークの他の部分ではブロードキャストされない
請求項１乃至２０の何れか１項に記載の方法。
【請求項２２】
公安ネットワークである第１の無線アクセスネットワーク（１３０）においてメッセージをブロードキャストするように適合された公共情報システム（１１０）を制御するように構成された公共情報システムの制御ノード（８１０）であって、前記第１の無線アクセスネットワークは前記公安ネットワークとは別の商用ネットワークである１つまたは複数のさらなる無線アクセスネットワーク（１２０ａ、１２０ｂ）と少なくとも部分的にオーバラップするように構成され、前記制御ノードは処理回路（９２０）を含み、該処理回路は前記制御ノードに、
前記第１の無線アクセスネットワーク（１３０）により修正サポートアナウンスを開始させ、該修正サポートアナウンスは、前記さらなる無線アクセスネットワークに関連付けられたネットワーク識別子を含めることにより前記さらなる無線アクセスネットワーク（１２０ａ、１２０ｂ）に対するサポートをアナウンスするように構成され、それにより、さらなる無線アクセスネットワーク（１２０ａ、１２０ｂ）に関連付けられた無線デバイス（１４０）は前記第１の無線アクセスネットワーク（１３０）に接続するように促され、
前記第１の無線アクセスネットワーク（１３０）を介して前記メッセージのブロードキャストを開始させ、それにより、前記無線デバイス（１４０）は前記第１の無線アクセスネットワークを介して前記メッセージを受信し得る、
ように構成される公共情報システムの制御ノード。
【請求項２３】
前記処理回路に接続され、前記１つまたは複数のさらなる無線アクセスネットワークに関連付けられた無線デバイスへの前記メッセージのブロードキャストを開始するための指示を取得するように構成された、通信インタフェース（８３０）を有する
請求項２２に記載の制御ノード。
【請求項２４】
前記通信インタフェース（８３０）は、１つまたは複数のさらなる無線アクセスネットワークにおける異常の通知を取得するようにさらに構成される
請求項２３に記載の制御ノード。
【発明の詳細な説明】
【技術分野】
【０００１】
本明細書で提示される実施形態は、無線アクセスネットワークに関し、より詳細には、公共情報システムおよび公共警報システムのための、方法、制御ノード、コンピュータプログラム、およびコンピュータプログラム製品に関するものである。
【背景技術】
【０００２】
政府機関のような中央情報源から情報が公衆に無線でブロードキャストされる無線公共情報システムは長い間存在してきた。ブロードキャストされたデータは、情報目的のため（例えば電力などの公益事業の利用可能性に影響する建設工事について公衆に知らせるため）、または、警報目的のため（例えば進行中の山火事の現在の状態について公衆に知らせるため）であり得る。公共情報システムにおける重要な特性は、できるだけ多くの大衆に確実に到達する能力である。
【０００３】
伝統的に、公衆への情報または警報メッセージのブロードキャストはテレビおよび公共無線メディアを介して行われてきた。例えば、ＵＳ２００６０００５２１９は、公共警報のための待機テレビ警報システムを開示している。この警報システムは、待機モードにあるときであってもテレビが放送を受信することができるという点で、公共警報メッセージの配信信頼性を改善する。
【０００４】
大衆は伝統的な放送メディアから離れてきている。テレビは現在、主にケーブルまたはインターネットを介して配信されており、ラジオメディアはしばしばインターネットラジオとして受信されている。公共情報システムのカバー範囲および信頼性をさらに改善させるために、モバイルアクセスネットワークはデータを公衆にブロードキャストするのに使用され得る。例えば、ＵＳ２００９０２３３６３４は、モバイル機器のための公共警報システムを開示している。無線アクセスネットワークに基づくこの種の公共情報システムは、テレビや公共ラジオのような伝統的な放送システムにアクセスできない大衆の一部に有利に到達する。
【０００５】
しかしながら、第２（２Ｇ）、第３（３Ｇ）、第４（４Ｇ）、または第５（５Ｇ）世代のモバイルアクセスネットワークなどの無線アクセスネットワークは、例えば自然災害に直面しても必ずしも頑強とは限らず、公衆の人々全員に届くように十分な無線カバー範囲を有するとは限らない。
【発明の概要】
【０００６】
本明細書における実施形態の目的は、公衆に情報を送信するためのシステムを改善し、改善された回復力および堅牢性を有するより堅牢な公共情報システムを提供することである。
【０００７】
第１の態様によれば、第１の無線アクセスネットワークにおいてメッセージをブロードキャストするのに適合した公共情報システムのための方法が開示される。第１の無線アクセスネットワークは１つまたは複数のさらなる無線アクセスネットワークと少なくとも部分的にオーバラップするように構成される。方法は、第１の無線アクセスネットワークにより修正サポートアナウンスを開始することを含む。修正サポートアナウンスは、さらなる無線アクセスネットワークに関連付けられたネットワーク識別子を含めることによってさらなる無線アクセスネットワークに対するサポートをアナウンスするように構成され、それにより、さらなる無線アクセスネットワークに関連付けられた無線デバイスは第１の無線アクセスネットワークに接続するように促される。方法はまた、第１の無線アクセスネットワークを介してメッセージのブロードキャストを開始することを含み、それにより、前述の無線デバイスは第１の無線アクセスネットワークを介してメッセージを受信することができる。
【０００８】
したがって、有利には、通常は第１の無線アクセスネットワークからの送信をリッスンしていない無線デバイスは、それらが関連付けられているさらなる無線アクセスネットワークに接続していると考えて、第１の無線アクセスネットワークに接続するよう促される。このようにして、公共情報システムは、第１の無線アクセスネットワークを介して第１の無線アクセスネットワークと通常は関連付けられていない無線デバイスに到達することができる。
【０００９】
有利には、第１の無線アクセスネットワークは、１つまたは複数のさらなる無線アクセスネットワークよりも頑強で回復力のある方法で実装され得るので、公共情報システムの頑健性が改善される。
【００１０】
有利には、開示された公共情報システムは、テレビや公共ラジオなどの伝統的な放送メディアにアクセスできない一般の人々を含む増加したパーセンテージの大衆に到達することができる。
【００１１】
態様によれば、方法は、さらなる無線アクセスネットワークの１つまたは複数に関連付けられた無線デバイスへのメッセージのブロードキャストを開始するための指示を取得することを含む。
【００１２】
したがって、公共情報ブロードキャストの制御および開始のための手段が提供される。
【００１３】
態様によれば、指示を取得することは、さらなる無線アクセスネットワークに対応するネットワーク識別子を取得することを含む。このようにして、公共情報システムは、関連するさらなる無線アクセスネットワークを識別し、さらなる無線アクセスネットワークに関連付けられた情報を必要とする無線デバイスにメッセージをブロードキャストすることができる。
【００１４】
態様によれば、方法は、さらなる無線アクセスネットワークの１つまたは複数における異常状態の通知を取得することをさらに含む。このようにして、公共情報システムは、さらなる無線アクセスネットワークの異常を認識し、そのような異常の無線アクセスネットワークに関連付けられた無線デバイスへのブロードキャストを開始することができる。
【００１５】
態様によれば、方法は、さらなる無線アクセスネットワークに関連付けられた無線デバイスの第１の無線アクセスネットワークへのアクセスの選択的封鎖を開始することを含む。封鎖された無線デバイスは、第１の無線アクセスネットワークの通信リソースを使用することを妨げられる。したがって、１つまたは複数のさらなる無線アクセスネットワークに関連付けられた無線デバイスからのサービスに対する要求によって第１の無線アクセスネットワークが過負荷になることが防止される。有利には、封鎖は選択的であり、これは特定の無線デバイスが封鎖され、他は封鎖されないことを意味する。このようにして、所与の無線デバイスは、第１の無線アクセスネットワークに加入していなくても第１の無線アクセスネットワークへのアクセスを許可され得、一方、１つまたは複数のさらなる無線アクセスネットワークに関連付けられた多くの無線デバイスは、第１の無線アクセスネットワークの過負荷を防止するために封鎖される。
【００１６】
態様によれば、方法は、さらなる無線アクセスネットワークに関連付けられた無線デバイスへの修正サポートアナウンスに関する情報を含む通知メッセージのブロードキャストを開始することを含む。
【００１７】
このようにして、修正サポートアナウンスを受信し第１の無線アクセスネットワークに接続した無線デバイスのユーザにその事実が通知され、例えば他の無線アクセスネットワークと比較した第１の無線アクセスネットワークから得られるサービスレベルの特定の変更を認識することもできる。
【００１８】
態様によれば、ブロードキャストを開始することは、第１の無線アクセスネットワークの一部でブロードキャストを選択的に開始することを含み、それにより、メッセージは第１の無線アクセスネットワークの一部でブロードキャストされ第１の無線アクセスネットワークの他の部分ではブロードキャストされない。
【００１９】
したがって、ブロードキャストは、ブロードキャストされたメッセージが関連する特定の地理的領域に限定することができる。したがって、第１の無線アクセスネットワークの通信リソースは節約され、所与の地理的領域内の受信者に対するメッセージの関連性を保証することができる。
【００２０】
態様によれば、修正サポートアナウンスを開始することは、第１の無線アクセスネットワークの一部において修正サポートアナウンスのブロードキャストを選択的に開始することを含み、それにより、修正サポートアナウンスは第１の無線アクセスネットワークの一部でブロードキャストされ第１の無線アクセスネットワークの他の部分ではブロードキャストされない。したがって、修正サポートアナウンスは、特定の地理的領域に位置する無線デバイスに選択的に送信される。このようにして、関連する無線デバイス（例えばブロードキャストされたメッセージが関係する地理的領域内にある無線デバイス）だけが第１の無線アクセスネットワークに接続するように促される。
【００２１】
本明細書ではまた、第１の無線アクセスネットワーク内でメッセージをブロードキャストするように適合された公共情報システムを制御するように構成された公共情報システムの制御ノードも開示されている。第１の無線アクセスネットワークは１つまたは複数のさらなる無線アクセスネットワークと少なくとも部分的にオーバラップするように構成される。制御ノードは処理回路を備える。処理回路は、制御ノードに第１の無線アクセスネットワークによる修正サポートアナウンスを開始させるように構成されている。修正サポートアナウンスは、さらなる無線アクセスネットワークに関連付けられたネットワーク識別子を含めることによりさらなる無線アクセスネットワークに対するサポートをアナウンスするように構成され、それにより、さらなる無線アクセスネットワークに関連付けられた無線デバイスは第１の無線アクセスネットワークに接続するように促され、第１の無線アクセスネットワークを介してメッセージのブロードキャストを開始し、それにより、無線デバイスは第１の無線アクセスネットワークを介してメッセージを受信し得る。
【００２２】
第１の無線アクセスネットワークにおいてメッセージをブロードキャストするように適合された公共情報システムを制御するように構成された制御ノードのためのコンピュータプログラムがさらに開示される。第１の無線アクセスネットワークは１つまたは複数のさらなる無線アクセスネットワークと少なくとも部分的にオーバラップするように構成される。コンピュータプログラムは、制御ノードの処理回路により実行されると、制御ノードに第１の無線アクセスネットワークによる修正サポートアナウンスを開始させるコンピュータコードを含む。修正サポートアナウンスは、さらなる無線アクセスネットワークに関連付けられたネットワーク識別子を含めることによりさらなる無線アクセスネットワークに対するサポートをアナウンスするように構成され、それにより、さらなる無線アクセスネットワークに関連付けられた無線デバイスは第１の無線アクセスネットワークに接続するように促され、第１の無線アクセスネットワークを介してメッセージのブロードキャストを開始し、それにより、無線デバイスは第１の無線アクセスネットワークを介してメッセージを受信し得る。
【００２３】
適切な場合はいつでも、上述の態様の任意の特徴を他の任意の態様に適用することができることに留意されたい。同様に、第１の態様のいずれの利点も他の態様に等しく適用することができ、またその逆も言える。添付の実施形態の、他の目的、特徴、および利点は、以下の詳細な説明から、添付の従属請求項ならびに図面から、明らかになるであろう。
【００２４】
一般に、特許請求の範囲で使用される全ての用語は、本明細書で明示的に定義されていない限り、技術分野におけるそれらの通常の意味に従って解釈されるべきである。「１つの（ａ／ａｎ／ｔｈｅ）要素、装置、構成要素、手段、ステップなど」に対するすべての参照は、明示的に述べられていない限り、要素、装置、構成要素、手段、ステップなどの少なくとも１つの例を指すものとして公然と解釈されるべきである。本明細書に開示された任意の方法のステップは、明示的に述べられていない限り、開示された正確な順序で実行される必要はない。
【図面の簡単な説明】
【００２５】
本発明の概念は、添付の図面を参照して、例として説明される。
【００２６】
【図１】実施形態に従った通信システムを示す概略図である。
【図２ａ】実施形態に従った様々な無線アクセスネットワークに係る例示的なイベントのシーケンスを示す図である。
【図２ｂ】実施形態に従った様々な無線アクセスネットワークに係る例示的なイベントのシーケンスを示す図である。
【図２ｃ】実施形態に従った様々な無線アクセスネットワークに係る例示的なイベントのシーケンスを示す図である。
【図３ａ】実施形態に従ったロングタームエボリューション（ＬＴＥ）無線アクセスネットワークに係る例示的なイベントのシーケンスを示す図である。
【図３ｂ】実施形態に従ったロングタームエボリューション（ＬＴＥ）無線アクセスネットワークに係る例示的なイベントのシーケンスを示す図である。
【図４】実施形態に従った例示的なＬＴＥ無線アクセスネットワークを示す図である。
【図５】実施形態に従った方法のフローチャートである。
【図６】実施形態に従ったイベントを示すシグナリング図である。
【図７】実施形態に従ったイベントを示すシグナリング図である。
【図８】実施形態に従った制御ノードの機能部を示す概略図である。
【図９】コンピュータプログラムおよびコンピュータプログラム製品を概略的に示す図である。
【図１０】実施形態に従った制御ノードのモジュールを示す概略図である。
【図１１】SystemInformationBlockType1メッセージフォーマットを示す図である。
【図１２】警告種別値と警告種別との対応関係を示す図である。
【発明を実施するための形態】
【００２７】
本発明の概念は、本発明の概念の特定の実施形態が示されている添付の図面を参照して以下でより十分に説明される。しかしながら、この発明の概念は多くの異なる形態で具体化されてもよく、本明細書に記載の実施形態に限定されると解釈されるべきではなく、むしろ、これらの実施形態は、この開示が徹底的かつ完全なものとなり、本発明の概念の範囲を当業者に十分に伝えるように、例として提供されるものである。説明全体を通して、同じ番号は同じ要素を指す。破線で示されているステップや機能はすべてオプションと見なすべきである。
【００２８】
図１は、本明細書に提示された実施形態を適用することができる通信システム１００を示す概略図である。通信システム１００は、公共情報システム１１０によって、公共情報サービスを無線デバイス１４０、１４１に提供すると仮定される。メッセージ１１１は無線デバイスへの情報のブロードキャストを示している。公共情報システムは、態様によれば、公共警報システムであり、その場合、メッセージ１１１は警報（warning）または警告（alert）メッセージを含む。
【００２９】
情報、警報、または警告メッセージ１１１は、状況およびネットワークの実装に応じて異なるフォーマットで配信され得ることを理解されたい。例えば、様々な態様によれば、メッセージ１１１は、テキストメッセージ、音声メッセージ、ショートメッセージサービス（ＳＭＳ）、触覚警報信号、または無線デバイスへの汎用入力信号のうちのいずれかを含み、この汎用入力信号は、例えば、無線デバイスに動作可能に接続された警笛または警告灯をトリガするために使用され得る。
【００３０】
さらに、メッセージフォーマットのサブセットのみが、図５〜図７に関連して論じられる実施形態においてサポートされることが理解される。
【００３１】
通信システム１００は、複数の無線アクセスネットワーク１２０ａ、１２０ｂ、１３０を含む。各無線アクセスネットワークは、図１では単一の無線送受信機によって示されているが、一般に、無線アクセスネットワークは複数の無線送受信機または無線基地局を含むことが理解される。
【００３２】
コアネットワーク１０１ａ、１０１ｂ、１０１ｃは、それぞれの無線アクセスネットワークに動作可能に接続されている。公共情報システム１１０は、コアネットワークを介して無線アクセスネットワークに動作可能に接続されるように図１に示される。しかしながら、いくつかの態様によれば、公共情報システム１１０はまた、無線アクセスネットワークに直接的に動作可能に接続することもできる。
【００３３】
無線デバイスは、１つまたは複数の無線アクセスネットワークに関連付けられている。これは、無線デバイスが無線アクセスネットワークに接続し、無線アクセスネットワークの通信リソースを使用し得ることを意味する。
【００３４】
無線デバイス１４０、１４１の例は、移動局、携帯電話、ハンドセット、無線ローカルループ電話、ユーザ装置（ＵＥ）、スマートフォン、ラップトップコンピュータ、およびタブレットコンピュータを含むが、これらに限定されない。無線アクセスネットワークノードの例は、無線基地局、基地送受信局、ノードＢ、発展型ノードＢ、およびアクセスポイントを含むが、これらに限定されない。本明細書に開示された実施形態は、いかなる特定の数の無線アクセスネットワークまたは無線デバイスに限定されない。
【００３５】
図２ａ〜図２ｃは通信システム２００を示す。図２ａ〜図２ｃは、ここでは公安（ＰＳ）ネットワークとして示されている第１の無線アクセスネットワーク１３０を示している。ＰＳネットワークは、ここではＰＬＭＮ＿ＰＳネットワークとして示されている、公安のための公衆陸上モバイルネットワーク（ＰＬＭＮ）の一部である。通常、警察、医療緊急サービス、および消防隊などの様々な公共サービスに関連する無線デバイス１４１は、通信目的のためにＰＳネットワークを使用する。
【００３６】
３つのさらなる無線アクセスネットワーク１２０ａ、１２０ｂ、１２０ｃも示されている。これらは、それぞれモバイルネットワークオペレータ（ＭＮＯ）であるオペレータＡ、オペレータＢ、およびオペレータＣによって運用されるＰＬＭＮである。もちろん、１つのＭＮＯが１つまたは複数の無線アクセスネットワークを運用してもよい。これらのネットワークは、それぞれのネットワークに関連付けられている無線デバイスにサービスを提供する。ここで、「関連付けられている」は、例えば、異なる無線デバイスが異なるオペレータに関連する加入者識別モジュール（ＳＩＭ）を有することを意味し得る。本明細書では、一般に、「関連付けられている」は、無線デバイスがアクセスコードまたは異なるネットワークへのアクセスを可能にする他の識別手段を所有していることも意味し得る。
【００３７】
第１の無線アクセスネットワークは、１つまたは複数のさらなる無線アクセスネットワークと少なくとも部分的にオーバラップするように構成される。これは、さらなる無線アクセスネットワークに接続されている１つまたは複数の無線デバイスが第１の無線アクセスネットワークの無線範囲内にも存在することを意味する。オーバラップは、第１の無線アクセスネットワークと１つまたは複数のさらなる無線アクセスネットワークとの間で少なくとも部分的にオーバラップする無線カバー範囲領域に関連することを理解されたい。
【００３８】
図２ａにおいて、動作は正常である。無線デバイス１４０、１４１は、黒い矢印で示すように、それらが関連付けられている無線アクセスネットワークに接続されている。最も右の他の国からのローミングにも注意します。この無線デバイスは、例えば、オペレータＣと無線デバイスが通常関連付けられているオペレータとの間のローミング契約に従って、オペレータＣと間接的に関連付けられている。
【００３９】
図２ｂでは、無線デバイスが無線アクセスネットワーク１２０ａ、１２０ｂ、１２０ｃにアクセスすることを妨害するイベントが発生している。たとえば、地震や山火事、または深刻な停電が発生した可能性があります。これらのイベントは、無線アクセスノードおよび／またはバックホールネットワークが正常に動作することを妨害し、停止の原因となる。特に、警告または警報メッセージは、もはやＰＬＭＮ＿Ａ、ＢまたはＣを介して無線デバイス１４０にブロードキャストされないかもしれない。
【００４０】
しかしながら、ＰＳネットワークは、このタイプのネットワークは通常、一般の商用モバイルネットワークオペレータ（ＭＮＯ）ネットワークよりも頑強かつ回復力のある方法で実施されるため、依然として動作可能である。例えば、ＰＳネットワークは、例えば、冗長無線基地局、より高度なバックアップ電源、および場合によっては無線基地局カバー範囲に関する冗長性に関して、ある程度のコンポーネント冗長性を含む可能性が高い。したがって、３つのＰＬＭＮ＿Ａ、Ｂ、およびＣのすべてが停止している間、ＰＬＭＮ＿ＰＳは依然として稼働中であり、接続されている無線デバイス１４１にサービスを提供する。
【００４１】
図２ｃにおいて、ＰＳネットワークは、最初に、ＰＬＭＮ＿Ａ、Ｂ、およびＣに関連付けられた無線デバイスに到達する修正サポートアナウンスをブロードキャストする。この修正サポートアナウンスのアドバタイズは、ＰＬＭＮ＿ＰＳだけでなく、ＰＬＮＭ＿Ａ、ＰＬＭＮ＿Ｂ、およびＰＬＭＮ＿Ｃもサポートする。異なるさらなる無線アクセスネットワークと第１の無線アクセスネットワークとの間に少なくとも部分的なオーバラップが存在するため、これらのＰＬＭＮに関連付けられた無線デバイス１４０のいくつかまたは全ては、ＰＬＭＮ＿ＰＳからの修正サポートアナウンスを聞くであろう。したがって、それらはＰＬＭＮ  ＰＳに関連付けられていない（すなわちＳＩＭはＰＬＭＮ＿ＰＳに対するＳＩＭではなく、ＰＬＭＮ＿Ａ、Ｂ、またはＣのうちの１つに対するＳＩＭである）にも関わらず、ＰＬＭＮ＿ＰＳに属するセルに接続するように促される。一旦ＰＬＭＮ＿ＰＳに接続されると、無線デバイスはＰＬＭＮ＿ＰＳを介してブロードキャストされる情報メッセージを受信することができる。
【００４２】
したがって、有利には、正常動作中にＰＬＭＮ＿ＰＳからの送信をリッスンしていない無線デバイスは、それらが関連付けられている無線アクセスネットワーク（すなわちＰＬＭＮ＿Ａ、ＢまたはＣ）に接続していると考えて、ＰＳネットワークに接続するよう促される。したがって、公共情報システムのカバー範囲が改善される。
【００４３】
ある態様によれば、図１の破線１５０ａおよび１５０ｂによって示される、ＰＳネットワークから（またはＰＳコアネットワーク）から、１つまたは複数のさらなる無線アクセスネットワークのコアネットワークへの接続が存在する。このようにして、公共情報システムは、第１の無線アクセスネットワークを介して第１の無線アクセスネットワークに通常関連付けられていない無線デバイスに到達し、ＰＳネットワークへの接続を促された無線デバイスは、ＲＡＮ共有を介してそれぞれのＰＬＭＮに到達することが出来る。
【００４４】
図１および図２は、一般に無線アクセスネットワークを示すが、必ずしも特定の電気通信規格に関連付けられているわけではないことが理解される。開示された概念は、修正サポートアナウンス機能およびブロードキャストメカニズムを提供するあらゆる種類のネットワークに適用可能である。開示される技術が適用可能である例は、例えば、モバイル通信のためのグローバルシステム（ＧＳＭ）ネットワーク、ユニバーサルモバイル電気通信サービス（ＵＭＴＳ）、ＣＤＭＡ２０００、ＷｉＭＡＸ、ロングタームエボリューション（ＬＴＥ）、第５世代（５Ｇ）無線アクセスネットワーク、及び、様々な８０２．１１無線ローカルエリアネットワーク（ＷＬＡＮ）プロトコル、を含む。
【００４５】
８０２．１１無線ローカルエリアネットワーク（ＷＬＡＮ）プロトコルを含む実施形態は、１つまたは複数のサービスセット識別子（ＳＳＩＤ）を使用してサポートを広告する（すなわちサポートアナウンスをブロードキャストする）ことが理解される。このようにして、ＲＡＮ共有における複数のＰＬＭＮのサポートのアナウンスと同様の機能が得られる。
【００４６】
図３ａ、図３ｂは通信システム３００を示す。図３ａ及び図３ｂは、実施形態に従った公共情報システムにおける例示的なイベントのシーケンスを示す。この例では、第１およびさらなる無線アクセスネットワーク１２０ａ、１２０ｂ、１３０はＬＴＥネットワークである。ネットワークは、セルブロードキャストエンティティ（ＣＢＥ）およびセルブロードキャストセンタ（ＣＢＣ）を含む公共警報システム（ＰＷＳ）１１０に動作可能に接続されている。ＰＷＳ、ＣＢＥ、およびＣＢＣは、第３世代パートナーシッププロジェクト（３ＧＰＰ）テキストＴＳ  ２３．０４１バージョン１４．０．０でさらに議論されている。ＰＷＳ１１０は、少なくとも部分的にインタフェースＳＢｃを介して各ネットワークそれぞれの移動管理エンティティ（ＭＭＥ）２５０に動作可能に接続されている。また、ＭＭＥは、インタフェースＳ１−ＭＭＥを介して少なくとも部分的にｅノードＢ２６０に動作可能に接続されている。ｅノードＢは無線デバイス１４０、１４１にサービスを提供している。
【００４７】
ＰＬＭＮ＿Ａ１２０ａおよびＰＬＭＮ＿Ｂ１２０ｂが動作可能であるとき、それらは、それぞれのＰＬＭＮに関連付けられた無線デバイスに、それぞれのネットワークに接続するように促すサポートアナウンスをブロードキャストする。この場合、ＰＷＳ１１０は、異なるＰＬＭＮを介して並列に無線デバイスに（すなわち、ＰＬＭＮ＿Ａ、ＰＬＭＮ＿Ｂを介しておよびＰＳ−ＬＴＥを介してエリア内の異なる無線デバイスに）メッセージをブロードキャストすることができる。
【００４８】
図３ｂでは、いくつかのｅノードＢが無線デバイスにサービスすることを妨げているイベントが発生している。これは、例えば、ｅノードＢにおける停電、またはバックホールインタフェースＳ１−ＭＭＥにおけるロスまたは異常によるものであり得る。その結果、いくつかの無線デバイスは、ＰＷＳから元のｅノードＢを介して到達することができない。例えば、以前にｅノードＢ３１０からサービスされていた無線デバイス４１０は、もはや無線基地局３１０から到達することはできない。したがって、ＰＬＭＮ＿Ｂを介してブロードキャストされた情報や警告メッセージは、意図した受信者全員に届くわけではない。
【００４９】
ブロードキャストされたメッセージの送達確率を向上させるために、ＰＳ−ＬＴＥネットワークは、最初に修正サポートアナウンスをブロードキャストする。このサポートアナウンスは、ＰＳ−ＬＴＥネットワークの識別子だけでなく、さらなる無線ネットワークＰＬＭＮ＿ＡおよびＰＬＭＮ＿Ｂの１つまたは複数の識別子も含む、修正サポートアナウンスである。
【００５０】
ＬＴＥベースの無線アクセスネットワークに関して、修正サポートアナウンスは、３ＧＰＰテキスト  ＴＳ  ３６．３３１  ｖ１４．０．０のセクション６．２．２「Message definitions」において定義されたSystemInformationBlockType1メッセージに含まれており、以下にコピーされている。説明した無線ネットワーク識別子に関連する部分は、図１１において太字かつ下線付きのテキストで示されている。
【００５１】
したがって、いくつかの態様によれば、ネットワークアイデンティティまたはネットワーク識別子は、ＰＬＭＮ識別情報、ＰＬＭＮ  ＩＤ、またはPLMN-IdentityInfoを含む。
【００５２】
ＬＴＥベースの無線アクセスネットワークにおいて修正サポートアナウンスを構成するために、plmn-IdentityListフィールドは、さらなる無線アクセスネットワーク（この例ではＰＬＭＮ＿ＡおよびＰＬＭＮ＿Ｂ）のＰＬＭＮアイデンティティを含むように修正される。
【００５３】
無線デバイスへのサポートのアナウンス機能を有する同様のサポートアナウンスが、３ＧＰＰの２Ｇおよび３Ｇシステムのような他の無線アクセスネットワーク規格に存在することが理解される。
【００５４】
２Ｇ  ＧＥＲＡＮベースの無線アクセスネットワークに関して、修正サポートアナウンスは、３ＧＰＰテキストＴＳ  ４４．０１８  ｖ１３．３．２のセクション１０．５．２．３７ｎ「SI 22 rest octets」で定義されているSystem Information Type 22メッセージに含まれる。
【００５５】
３Ｇ  ＵＴＲＡＮベースの無線アクセスネットワークに関して、修正サポートアナウンスは、３ＧＰＰテキストＴＳ  ２５．３３１  ｖ１４．０．０のセクション１１．３「Information element definitions」で定義されているMasterInformationBlockメッセージに含まれる。
【００５６】
上述のように、第１の無線アクセスネットワークは８０２．１１ＷＬＡＮファミリーネットワークでもあり得る。ＷＬＡＮネットワークブロードキャストは、プロトコルのサービスセット識別子（ＳＳＩＤ）を使用してアナウンスをサポートする。したがって、いくつかのさらなる態様によれば、ネットワーク識別またはネットワーク識別子は、８０２．１１無線ローカルエリアネットワーク（ＷＬＡＮ）プロトコルのＳＳＩＤを含む。
【００５７】
３ＧＰＰ  ＴＳ  ２３．２５１、ｖ１３．２．０のセクション４．２．２「Broadcast system information for network sharing」は次のように記述している：共有無線アクセスネットワーク（ＲＡＮ）がＵＥによる選択のために利用可能なコアネットワークオペレータを示すように構成される場合、共有無線アクセスネットワーク内の各セルは、共有ネットワークにおいて利用可能なコアネットワークオペレータに関する情報をブロードキャストシステム情報内に含むものとする。利用可能なコアネットワークオペレータは、共有ＵＴＲＡＮまたはＧＥＲＡＮネットワーク内のロケーションエリア（Location Area）の全てのセルに対して同じであるものとする。利用可能なコアネットワークオペレータは、共有ＥＵＴＲＡＮネットワーク内のトラッキングエリア（Tracking Area）の全てのセルに対して同じであるものとする。サポートしているＵＥは、ブロードキャストシステム情報を復号し、利用可能なコアネットワークオペレータに関する情報をネットワークおよびセル（再）選択手順において考慮する。
【００５８】
したがって、ユーザ装置（ＵＥ）または無線デバイス４１０などの無線デバイスが前述の修正サポートアナウンスを受信すると、サポートアナウンスを行った無線アクセスネットワーク（この場合はＰＳ−ＬＴＥ無線アクセスネットワーク１３０）に接続するよう促される。無線デバイスはＰＳ−ＬＴＥネットワークに接続すると、このネットワークで送信されたブロードキャストおよびその他のシステム情報メッセージの受信を開始することが出来る。
【００５９】
したがって、たとえこの無線デバイスがＰＳ−ＬＴＥネットワーク１３０に直接関連していないかあるいは知識さえも有していなくても、ブロードキャストされた情報メッセージ１１１は無線デバイス４１０に到達する。
【００６０】
図４は、通信システム４００を示している。図４は、ｅＮＢ４１０がＰＬＭＮ  ＡおよびＰＬＭＮ  ＢのＭＭＥ２５０ａ、２５０ｂに接続（４２０、４３０）されているＬＴＥネットワークを示している。  これらの接続は、３ＧＰＰ  ＴＳ  ２３．２５１  Ｖ１３．２．０で定義され論じられているように、ＲＡＮ共有を可能にする。このＬＴＥネットワーク４００では、第１の無線アクセスネットワークにキャンプオンしている、さらなる無線アクセスネットワークの１つに関連付けられた無線デバイスは、ＲＡＮ共有を使用してそれらの元のコアネットワークにアクセスし得る。
【００６１】
図５は、図１〜図４の例に関連して上述した方法の異なる態様を説明している。特に、図５は、第１の無線アクセスネットワーク１３０においてメッセージ１１１をブロードキャストするのに適合した公共情報システム１１０のための方法を示している。第１の無線アクセスネットワークは、少なくとも部分的に、１つまたは複数のさらなる無線アクセスネットワーク１２０ａ、１２０ｂとオーバラップするように構成される。方法は、第１の無線アクセスネットワーク１３０によって修正サポートアナウンスを開始することＳ１０４を含む。修正サポートアナウンスは、さらなる無線アクセスネットワークに関連付けられたネットワーク識別子を含めることによってさらなる無線アクセスネットワーク１２０ａ、１２０ｂに対するサポートをアナウンスするように構成され、それにより、さらなる無線アクセスネットワーク１２０ａ、１２０ｂに関連付けられた無線デバイス１４０は第１の無線アクセスネットワーク１３０に接続するように促される。方法はまた、第１の無線アクセスネットワーク１３０を介してメッセージのブロードキャストを開始することＳ１０８を含み、それにより、前述の無線デバイス１４０は第１の無線アクセスネットワークを介してメッセージを受信することができる。
【００６２】
当該修正サポートアナウンスのメカニズムは、図１〜図４に関連して上述した。ここでは、「開始する」とは、上述したように、修正サポートアナウンスまたはブロードキャストの実行をもたらす任意の動作として解釈されるべきである。
【００６３】
アナウンスされたＰＬＭＮ識別子は同じであるので、無線デバイス１４０は、それがＭＮＯのＰＬＭＮとは異なるＰＳネットワークに接続していることを必ずしも知る必要はないことを理解されたい。
【００６４】
開示された方法は、様々な種類の無線アクセスネットワークにおいて実施されてもよく、例えば、公共情報および公共警報を含む異なる目的のために使用されてもよい。
【００６５】
態様によれば、公共情報システムは公共警報システム（ＰＷＳ）を含み、メッセージは警告メッセージおよび／または警報メッセージを含む。
【００６６】
態様によれば、第１の無線アクセスネットワーク１３０は公安ネットワークであり、さらなる無線アクセスネットワーク１２０ａ、１２０ｂは当該公安ネットワークとは別の商用ネットワークである。
【００６７】
態様によれば、第１の無線アクセスネットワーク１３０は、公安（ＰＳ）ロングタームエボリューション（ＬＴＥ）通信システムの一部である。
【００６８】
態様によれば、さらなる無線アクセスネットワーク１２０ａ、１２０ｂの１つは、モバイルネットワークオペレータ（ＭＮＯ）に関連付けられた公衆陸上モバイルネットワーク（ＰＬＭＮ）である。
【００６９】
１つまたは複数のさらなる無線ネットワークが完全に動作可能であるとしても、修正サポートアナウンスがブロードキャストされ得ることが理解される。
【００７０】
処理を開始する１つの方法は、公共情報システムに指示を送信することである。態様によれば、方法は、さらなる無線アクセスネットワーク１２０ａ、１２０ｂの１つまたは複数に関連付けられた無線デバイス１４０へのメッセージのブロードキャストを開始するための指示を取得することＳ１０２をさらに含む。
【００７１】
前述の指示は、公共情報システムの制御管理当局から公共警報インタフェースによって受信され得る。
【００７２】
態様によれば、指示を取得することは、さらなる無線アクセスネットワーク１２０ａ、１２０ｂに対応するネットワーク識別子を取得することを含む。したがって、さらなる無線アクセスネットワークのネットワーク識別子を考慮して、第１の無線アクセスネットワークによってブロードキャストされる修正サポートアナウンスにおいてさらなる無線アクセスネットワークについてもサポートをアナウンスするように、修正サポートアナウンスにおいて適切な修正を行うことができる。
【００７３】
態様によれば、指示を取得することは、ブロードキャストするためにメッセージを受信することを含む。このようにして、１つまたは複数のさらなる無線アクセスネットワークに関連付けられた無線デバイスに所与のメッセージをブロードキャストするための命令が公共情報システムによって受信され得る。
【００７４】
態様によれば、指示を取得することは、さらなる無線アクセスネットワーク１２０ａ、１２０ｂの事前構成リストに関連付けられた１つまたは複数の無線デバイス１４０にメッセージをブロードキャストするための指示を取得することを含む。
【００７５】
態様によれば、方法は、さらなる無線アクセスネットワーク１２０ａ、１２０ｂの１つまたは複数における異常状態の通知を取得することＳ１０３をさらに含む。このようにして、公共情報システムは、ブロードキャストされたメッセージを関連する無線デバイスにもはや送達することができなくなっているさらなる無線アクセスネットワークを知る。また、公共情報システムは、重要なブロードキャストメッセージが異常であるネットワークに関連付けられた無線デバイスによっても受信される確率を改善するために、そのようなさらなる無線アクセスネットワークに対するサポートをアナウンスすることができる。
【００７６】
態様によれば、通知を取得することは、異常状態に関連付けられたさらなる無線アクセスネットワーク１２０ａ、１２０ｂに対応するネットワーク識別子のリストを取得することを含む。
【００７７】
態様によれば、修正サポートアナウンスを開始することは、１つまたは複数のさらなる無線アクセスネットワークに対応するネットワークアイデンティティリストを含むように第１の無線アクセスネットワークのシステム情報ブロックタイプ１（ＳＩＢ１）の修正を開始することを含む。ＳＩＢ１の修正は上記で論じられている。
【００７８】
態様によれば、修正サポートアナウンスを開始することは、ネットワーク共有機能、または無線アクセスネットワーク（ＲＡＮ）共有機能の有効化を開始することを含む。ＲＡＮ共有機能は、３ＧＰＰテキスト  ＴＳ  ２３．２５１  Ｖ１３．２．０に定義され論じられている。
【００７９】
態様によれば、方法は、さらなる無線アクセスネットワークに関連付けられた無線デバイス１４０の第１の無線アクセスネットワーク１３０へのアクセスの選択的封鎖を開始することＳ１０６をさらに含む。選択的封鎖は、参照拡張アクセス封鎖の下で、３ＧＰＰテキスト  ＴＳ  ２２．０１１  ｖ１４．３．０およびＴＳ  ３６．３３１  ｖ１４．０．０に記載されている。
【００８０】
態様によれば、第１の無線アクセスネットワークは、第１の無線アクセスネットワークへのアクセスを与えられるべきである（すなわち封鎖されない）無線デバイスのアイデンティティのリストへのアクセスを有し、リストにない無線デバイスは封鎖される。例えば、このリストは、ＰＳ−ＬＴＥに利用可能でありかつ選択された無線デバイスに対応する国際移動機器識別番号（ＩＭＥＩ）のリストであり得る。そのような無線デバイスがＰＳ−ＬＴＥにキャンプオンするように促されると、それらは第１の無線アクセスネットワークへのアクセスを与えられ得る。
【００８１】
態様によれば、選択的封鎖は、ＳＩＢ２および／またはＳＩＢ１４を使用してＰＬＭＮ固有のアクセスクラス封鎖を開始することを含む。ＳＩＢ２および／またはＳＩＢ１４の両方が使用され得ることを理解されたい。ＳＩＢ２は「通常の」ＵＥおよび無線デバイスを封鎖するために使用され、一方ＳＩＢ１４は「ＥＡＢ対応」（すなわちモノのインターネット（ＩｏＴ）デバイスとして動作するように適合されたデバイス）を封鎖するために使用される。
【００８２】
態様によれば、選択的封鎖は、サービスクラス固有の封鎖を開始することを含む。このサービスクラス固有の封鎖は、いくつかの態様によれば、他の通信サービスから封鎖されている間、第１の無線アクセスネットワークにキャンプオンしている無線デバイスが通信サービスのサブセットにアクセスすることを可能にするように構成される。例示的な一実施形態では、第１の無線アクセスネットワークにキャンプオンしている選択的封鎖された無線デバイスは、第１の無線アクセスネットワークを介して緊急電話をかけることを許可されるが、他の番号への電話は禁止される。１つの例示的な実施形態では、無線デバイスは、第１の無線アクセスネットワークを介して公共サービス組織に関連付けられたインターネットウェブページなどの特定のネットワークリソースへのアクセスは許可され、一方、他のインターネットウェブページから封鎖される。
【００８３】
例示的な実施形態によれば、選択的封鎖にある無線デバイスは、任意のウェブページへのアクセスを要求したときにウェブページ上で警報メッセージを受信することになる。例えば、選択的封鎖された無線デバイスが検索ツールのウェブページを要求した場合、無線デバイスは検索ツールのウェブページの代わりに警報メッセージを有するウェブページを表示するであろう。
【００８４】
態様によれば、方法は、さらなる無線アクセスネットワーク１２０ａ、１２０ｂに関連付けられた無線デバイス１４０への修正サポートアナウンスに関する情報を含む通知メッセージのブロードキャストを開始することＳ１０７をさらに含む。
【００８５】
１つの例示的な実施形態では、ＵＥが接続を許可されていないネットワークから所与のメッセージが来ることを示すために、ＴＳ  ３６．３３１  ｖ１４．０．０、ＴＳ  ２３．０４１  ｖ１３．２．０の警告タイプのビット（例えば、「将来利用のために予約」の範囲の１００００００から１０００１００）が設定される。図１２は、警報種別値と警報種別との対応関係を示している。
【００８６】
態様によれば、ブロードキャストを開始することは、ＳＩＢ１０、ＳＩＢ１１、およびＳＩＢ１２のうちの何れかを使用して、さらなる無線アクセスネットワーク１２０ａ、１２０ｂに関連付けられた無線デバイス１４０に公共警報メッセージ（ＰＷＭ）の送信を開始することを含む。
【００８７】
これらのＳＩＢは代替物であることが理解される。地震及び津波警報システム（ＥＴＷＳ）、商用モバイル電話警告システム（ＣＭＡＳ）、無線緊急警告システム（ＷＥＡ）、および、韓国公共警告システム（ＫＰＡＳ）など、さまざまな市場向けに複数のＰＷＳソリューションがあり、３ＧＰＰ  ＴＳ  ２３．０４１、ｖ１４．０．０を参照されたい。
【００８８】
態様によれば、ブロードキャストを開始することは、さらなる無線アクセスネットワークが異常状態にあるかまたは異常状態が報告されたときにのみブロードキャストを開始することを含む。
【００８９】
態様によれば、ブロードキャストを開始することは、事前構成された時間遅延だけ先行し、事前構成された時間遅延の間、無線デバイス１４０は第１の無線アクセスネットワーク１３０に接続し得る。
【００９０】
態様によれば、ブロードキャストを開始することは、第１の無線アクセスネットワークの一部でブロードキャストを選択的に開始することを含み、それにより、メッセージは第１の無線アクセスネットワークの一部でブロードキャストされ第１の無線アクセスネットワークの他の部分ではブロードキャストされない。
【００９１】
したがって、ブロードキャストは、ブロードキャストされたメッセージが関連する特定の地理的領域に限定することができる。したがって、第１の無線アクセスネットワークの通信リソースは節約され、所与の地理的領域内の受信者に対するメッセージの関連性を保証することができる。
【００９２】
態様によれば、修正サポートアナウンスを開始することは、第１の無線アクセスネットワークの一部において修正サポートアナウンスのブロードキャストを選択的に開始することを含み、それにより、修正サポートアナウンスは第１の無線アクセスネットワークの一部でブロードキャストされ第１の無線アクセスネットワークの他の部分ではブロードキャストされない。
【００９３】
したがって、修正サポートアナウンスは、特定の地理的領域に位置する無線デバイスに選択的に送信される。このようにして、関連する無線デバイス（例えばブロードキャストされたメッセージが関係する地理的領域内にある無線デバイス）だけが第１の無線アクセスネットワークに接続するように促される。
【００９４】
図６は、上述の図５に関連して論じられた方法の実施形態に従った無線通信システムにおける相互作用を示すシグナリング図である。図６に示される方法は、公共警報システム（ＰＷＳ）制御ノード１１０、ＭＭＥ２５０、ｅＮｏｄｅＢ（またはｅＮＢ）２６０と無線デバイス１４０との間の対話を含む。ＰＷＳは、オプションで、１つまたは複数の無線デバイスへのメッセージのブロードキャストを開始するようにＰＷＳ制御ノードに促す指示または通知を取得する。このメッセージは、警告または警報メッセージ、あるいはより一般的な性質の情報メッセージである。ＰＷＳ制御ノードは、修正サポートアナウンスのブロードキャストを開始する（Ｓ１０４）。修正サポートアナウンスは、少なくとも１つのさらなる無線アクセスネットワークに対するサポートをアナウンスするように構成される。この開始は、Ｏ＆Ｍインタフェースを使用してｅＮＢ２６０と通信することによって実行される。この通信は、例えば、サポートが第１の無線アクセスネットワークによってアナウンスされるべきである１つまたは複数の追加のＰＬＭＮ識別子を構成することを含む。その後、ｅＮＢ２６０は、ＴＳ  ３６．４１３、ｖ１４．０．０、セクション８．７．３に定義されているＳ１セットアップ手順を使用して、さらなる無線アクセスネットワークのコアネットワークへの接続をオプションで確立する。構成に続いて、ｅＮＢは、修正サポートアナウンスをブロードキャストする。オプションで、ＰＷＳ制御ノード１１０はまた、上述したように、１つまたは複数の無線デバイスの選択的封鎖を開始する（Ｓ１０６）。この開始は、Ｏ＆Ｍインタフェースを介してｅＮＢに通信され、ｅＮＢは、選択的封鎖を無線デバイスにブロードキャストする。
【００９５】
無線デバイス１４０は、ｅＮＢから修正サポートアナウンスのブロードキャストを受信し、オプションで選択的封鎖ブロードキャストも受信する。ブロードキャストされた修正サポートアナウンスは、無線デバイスがｅＮＢ２６０にキャンプオンすることを可能にする。
【００９６】
ＰＷＳ制御ノードは、オプションの構成可能または事前構成された遅延の後、ブロードキャストを開始する（Ｓ１０８）。この開始は、ＴＳ  ２３．０４１、ｖ１４．０．０セクション９．１．３に規定されているように、ＳＢｃインタフェースを使用してＭＭＥと通信することによって実行され、その後、このＭＭＥは、メッセージ１１１をブロードキャストするためにｅＮＢを構成する。したがって、通信および構成は、たとえば、メッセージ１１１をブロードキャストおよび他のブロードキャストパラメータに構成することを含む。構成に続いて、ｅＮＢは、修正サポートアナウンスを介して有効にされたセルへのキャンプに起因して無線デバイスによって受信され得るメッセージをブロードキャストする。
【００９７】
オプションで、ＰＷＳ制御ノードは通知のブロードキャストを開始することができる（Ｓ１０７）。この開始は、通知のブロードキャストを構成するためにＭＭＥ２５０との通信を含む。構成に続いて、ｅＮＢ２６０は、通知のメッセージを無線デバイスにブロードキャストする。通知のメッセージは、例えば、修正サポートアナウンスについての情報を含むことができ、したがって、第１の無線アクセスシステムによって現在サービスされていることおよび異なるレベルのサービスを経験することがあることを無線デバイスに通知する。例えば、通知のメッセージは、アウトバウンド呼をかけることはできないが、警報メッセージおよび警告メッセージは受信されることを通知する情報を含み得る。上述の一例示的実施形態では、通知のブロードキャストの開始はＳ１０８に含まれる。このブロードキャストには警報種別が含まれ、警報種別は、サービスレベルの低下または変更について通知するために最上位ビット（ＭＳＢ）が１に設定され得る。
【００９８】
オプションで、ＰＷＳ制御ノードはブロードキャストの反復を開始することができる。この手順は、元のブロードキャストの開始と同じ手順に従う。反復ブロードキャストの目的は、例えば、無線デバイスへの重要メッセージの送達確率を向上させることであり得る。
【００９９】
図７は、実施形態に従った公共情報システムにおける例示的なイベントのシーケンスを示すシグナリング図である。この例は、いくつかのＭＮＯのＰＬＭＮ１２０ａ、１２０ｂ、ＰＳ−ＬＴＥネットワーク１３０、およびＭＮＯに関連付けられた無線デバイス１４０の間の相互作用を示している。
【０１００】
無線デバイスは最初にＭＮＯのＰＬＭＮ１２０ａ、１２０ｂに接続される。そして、ＭＮＯのＰＬＭＮにおいてサービスの喪失および異常状態を引き起こす何らかのイベント（例えば地震、津波、または他の何らかのイベント）が発生する。その結果、無線デバイスは異常状態のためにそのネットワーク接続を失う。
【０１０１】
ＭＮＯのＰＬＭＮ（またはＭＮＯのＰＬＭＮに含まれる制御ノード）は、ＰＳ−ＬＴＥネットワーク１３０（またはＰＳ−ＬＴＥネットワークに含まれる制御ノード）に通知する。ＰＳ−ＬＴＥネットワークは、ＳＩＢ１を介してＰＬＭＮのサポートをアナウンスする。ＰＳ−ＬＴＥネットワークはまた、オプションで、ＳＩＢ２および／またはＳＩＢ１４を介して選択的封鎖メッセージをブロードキャストする。
【０１０２】
異常通知は、ＭＮＯのＰＬＭＮとは別の外部制御ノードからも来ることがあることを理解されたい。
【０１０３】
ＰＳ−ＬＴＥネットワークによる修正サポートアナウンスは、無線デバイスが異常であるＭＮＯのＰＬＭＮの代わりにＰＳ−ＬＴＥネットワークにキャンプオンすることを可能にする。ＰＳ−ＬＴＥネットワーク（またはＰＳ−ＬＴＥネットワークに動作可能に接続されたＰＷＳ）は、今やブロードキャストを用いて無線デバイス１４０に到達することができる。
【０１０４】
したがって、ＰＷＳメッセージのブロードキャストは、ＳＩＢ１０またはＳＩＢ１１またはＳＩＢ１２を使用して無線デバイス１４０に送信され得る。
【０１０５】
アナウンスされたＰＬＭＮ識別子は同じであるので、無線デバイス１４０は、ＭＮＯのＰＬＭＮとは異なるＰＳ−ＬＴＥネットワークに接続していることを必ずしも知らないことを理解されたい。
【０１０６】
この手順により、無線装置が通常関連付けられているＭＮＯのＰＬＭＮの動作状態にかかわらず、ＰＷＳ警告メッセージが無線装置によって受信されることになる。
【０１０７】
図８は、実施形態に従った制御ノード８１０の機能部を示す概略図である。
【０１０８】
図８は、いくつかの機能部に関して、実施形態による制御ノード８１０の構成要素を概略的に示している。処理回路８２０は、（図９のような）コンピュータプログラム製品に（例えば記憶媒体８４０の形態で）格納されたソフトウェア命令を実行することができる、適切な中央処理装置（ＣＰＵ）、マルチプロセッサ、マイクロコントローラ、デジタル信号プロセッサ（ＤＳＰ）などの１つまたは複数の任意の組合せを使用して提供される。処理回路８２０はさらに、少なくとも１つの特定用途向け集積回路（ＡＳＩＣ）、またはフィールドプログラマブルゲートアレイ（ＦＰＧＡ）として提供され得る。
【０１０９】
特に、処理回路８２０は、図５に関連して上述したように、制御ノード８１０に一連の動作（すなわちステップＳ１０２〜Ｓ１０８）を実行させるように構成されている。例えば、記憶媒体８４０は一連の動作を格納することができ、処理回路８２０は記憶媒体から一連の動作を検索して制御ノード８１０に一連の動作を実行させるように構成することができる。一連の動作は、一連の実行可能命令として提供され得る。したがって、それにより、処理回路は、本明細書に開示されるような方法を実行するように構成される。
【０１１０】
記憶媒体８４０はまた、例えば、磁気メモリ、光学メモリ、固体メモリ、またはさらに遠隔に取り付けられたメモリのいずれか１つまたはそれらの組合せとすることができる持続性記憶装置を含み得る。
【０１１１】
制御ノード８１０は、少なくとも制御ノードと通信するための通信インタフェース８３０をさらに含み得る。そのように、通信インタフェースは、アナログおよびデジタルの構成要素を含む１つまたは複数の送信機および受信機を含み得る。
【０１１２】
処理回路８２０は、例えば、通信インタフェース８３０および記憶媒体８４０にデータおよび制御信号を送信することによって、通信インタフェース８３０からデータおよびレポートを受信することによって、ならびに記憶媒体８４０からデータおよび命令を取り出すことによって、制御ノード８１０の一般的な動作を制御する。制御ノード８１０の他の構成要素および関連する機能は、本明細書に提示された概念を不明瞭にしないために省略されている。
【０１１３】
換言すれば、図８は、第１の無線アクセスネットワーク１３０においてメッセージをブロードキャストするように適合された公共情報システムを制御するように構成された公共情報システムの制御ノード８１０を示し、第１の無線アクセスネットワークは１つまたは複数のさらなる無線アクセスネットワーク１２０ａ、１２０ｂと少なくとも部分的にオーバラップするように構成され、制御ノードは処理回路８２０を含み、処理回路は制御ノードが、第１の無線アクセスネットワーク１３０により修正サポートアナウンスを開始し、修正サポートアナウンスは、さらなる無線アクセスネットワークに関連付けられたネットワーク識別子を含めることによりさらなる無線アクセスネットワーク１２０ａ、１２０ｂに対するサポートをアナウンスするように構成され、それにより、さらなる無線アクセスネットワーク１２０ａ、１２０ｂに関連付けられた無線デバイス１４０は第１の無線アクセスネットワーク１３０に接続するように促され、第１の無線アクセスネットワーク１３０を介してメッセージのブロードキャストを開始し、それにより、無線デバイス１４０は第１の無線アクセスネットワークを介してメッセージを受信し得る、ように構成される。
【０１１４】
態様によれば、制御ノードは、処理回路に接続され、１つまたは複数のさらなる無線アクセスネットワークに関連付けられた無線デバイスへのメッセージのブロードキャストを開始するための指示を取得するように構成された、通信インタフェース８３０を有する。
【０１１５】
態様によれば、通信インタフェース８３０は、１つまたは複数のさらなる無線アクセスネットワークにおける異常の通知を取得するようにさらに構成される。
【０１１６】
図９は、コンピュータプログラム９１０およびコンピュータ可読手段９２０を備えるコンピュータプログラム製品９３０の一例を概略的に示している。このコンピュータ可読手段にコンピュータプログラムを格納することができ、そのコンピュータプログラムは、処理回路と、通信インタフェースおよび記憶媒体などの動作可能に結合されたエンティティおよびデバイスとに、本明細書に記載の実施形態に従った方法を実行させることができる。したがって、コンピュータプログラムおよび／またはコンピュータプログラム製品は、本明細書に開示されている方法の任意のステップを実行するための手段を提供することができる。
【０１１７】
特に、コンピュータプログラムおよび／またはコンピュータプログラム製品は、したがって、第１の無線アクセスネットワーク１３０においてメッセージをブロードキャストするように適合された公開情報システムを制御するように構成された制御ノード８１０に対してコンピュータプログラム９１０を実行する手段を提供し得る。第１の無線アクセスネットワークは、少なくとも部分的に、１つまたは複数のさらなる無線アクセスネットワーク１２０ａ、１２０ｂとオーバラップするように構成される。コンピュータプログラムは、制御ノード８１０の処理回路８２０により実行されると、制御ノードに第１の無線アクセスネットワーク１３０による修正サポートアナウンスを開始させるコンピュータコードを含む。修正サポートアナウンスは、さらなる無線アクセスネットワークに関連付けられたネットワーク識別子を含めることによりさらなる無線アクセスネットワーク１２０ａ、１２０ｂに対するサポートをアナウンスするように構成され、それにより、さらなる無線アクセスネットワーク１２０ａ、１２０ｂに関連付けられた無線デバイス１４０は第１の無線アクセスネットワーク１３０に接続するように促され、第１の無線アクセスネットワーク１３０を介してメッセージのブロードキャストを開始し、それにより、無線デバイス１４０は第１の無線アクセスネットワークを介してメッセージを受信し得る。
【０１１８】
図１０は、いくつかの機能モジュールに関して、一実施形態に従った制御ノードの構成要素を概略的に示している。図１０の制御ノード１０１０は、いくつかの機能モジュールを含む；ステップＳ１０４を実行するように構成された修正サポートアナウンス開始モジュールＳｘ１０４、および、ステップＳ１０８を実行するように構成されたブロードキャスト開始モジュールＳｘ１０８。
【０１１９】
図５に示す方法を参照すると、図１０の制御ノード１０１０は、ステップＳ１０２を実行するように構成された指示取得モジュールＳｘ１０２、ステップＳ１０３を実行するように構成された更なる通知取得モジュールＳｘ１０３、ステップＳ１０６を実行するように構成された選択的禁止封鎖開始モジュールＳｘ１０６など、いくつかのオプションの機能モジュールをさらに含み得る。
【０１２０】
大まかに言えば、図１０の各機能モジュールはハードウェアまたはソフトウェアで実施することができる。好ましくは、１つまたは複数のまたはすべての機能モジュールは、おそらく機能部８３０および８４０と協働して、制御ノード８１０の処理回路８２０によって実施され得る。したがって、処理回路８２０は、記憶媒体８４０から、機能モジュールによって提供されるように命令をフェッチしこれらの命令を実行するように構成され得、それにより、本明細書に開示されるような制御ノードおよび方法の任意のステップを実行する。
【０１２１】
一般的に言えば、各機能モジュールは、一実施形態ではハードウェアのみで実施され、別の実施形態ではソフトウェアの助けを借りて実施され、すなわち、後者の実施形態では、処理回路上で実行されると制御ノードに上述の対応するステップを実行させる、記憶媒体に格納されたコンピュータプログラム命令を有する。モジュールがコンピュータプログラムの一部に対応するとしてもそれらはその中の別々のモジュールである必要はなく、それらがソフトウェアで実施される方法は使用されるプログラミング言語に依存することにも留意されたい。制御ノード８１０は、スタンドアロンデバイスとして、または少なくとも１つのさらなるデバイスの一部として提供され得る。例えば、制御ノードは、無線アクセスネットワークまたはコアネットワークのノードによってホストされるか、その中で提供されるか、またはそれにインストールされ得る。
【０１２２】
図１０は、実施形態に従った制御ノードのモジュールを示す概略図である。特に、第１の無線アクセスネットワーク１３０においてメッセージをブロードキャストするのに適合した公共情報システムを制御するように構成された公共情報システム制御ノード１０１０が例示されている。第１の無線アクセスネットワークは、少なくとも部分的に、１つまたは複数のさらなる無線アクセスネットワーク１２０ａ、１２０ｂとオーバラップするように構成される。制御ノードは、第１の無線アクセスネットワーク１３０により修正サポートアナウンスを開始するように構成された第１のモジュールＳｘ１０４であって、修正サポートアナウンスは、さらなる無線アクセスネットワークに関連付けられたネットワーク識別子を含めることによりさらなる無線アクセスネットワーク１２０ａ、１２０ｂに対するサポートをアナウンスするように構成され、それにより、さらなる無線アクセスネットワーク１２０ａ、１２０ｂに関連付けられた無線デバイス１４０は第１の無線アクセスネットワーク１３０に接続するように促される、第１のモジュールＳｘ１０４と、第１の無線アクセスネットワーク１３０を介してメッセージのブロードキャストを開始するように構成された第２のモジュールＳｘ１０８であって、それにより、無線デバイス１４０は第１の無線アクセスネットワークを介してメッセージを受信し得る、第２のモジュールＳｘ１０８と、を含む。
【０１２３】
態様によれば、制御ノードは、１つまたは複数のさらなる無線アクセスネットワークに関連付けられた無線デバイスへのメッセージのブロードキャストを開始するための指示を取得するように構成された第３のモジュールＳｘ１０２を有する。
【０１２４】
態様によれば、制御ノードは、１つまたは複数のさらなる無線アクセスネットワークにおける異常の通知を取得するように構成された第４のモジュールＳｘ１０３を有する。
【０１２５】
態様によれば、制御ノードは、さらなる無線アクセスネットワークに関連付けられた無線デバイスが第１の無線アクセスネットワーク１３０にアクセスすることを選択的に封鎖するように構成された第５のモジュールＳｘ１０６を有する。
【図１】
0006839370.tif 000002
【図２ａ】
0006839370.tif 000003
【図２ｂ】
0006839370.tif 000004
【図２ｃ】
0006839370.tif 000005
【図３ａ】
0006839370.tif 000006
【図３ｂ】
0006839370.tif 000007
【図４】
0006839370.tif 000008
【図５】
0006839370.tif 000009
【図６】
0006839370.tif 000010
【図７】
0006839370.tif 000011
【図８】
0006839370.tif 000012
【図９】
0006839370.tif 000013
【図１０】
0006839370.tif 000014
【図１１】
0006839370.tif 000015
【図１２】
0006839370.tif 000016